(57)【要約】【課題】製造が容易で、より利便性の高い包装箱を提供する。【解決手段】第１接続板４０は、折目ａ１２を介して上面板１６と連接され、第２接続板４２は、折目ａ１３を介して第１接続板４０と連接され、仕切板４４は、折目ａ１４を介して第２接続板４２と連接されている。仕切板４４がＺ方向に引っ張られると、第１接続板４０は角度αが小さくなるＸ方向に回転し、第２接続板４２はＺ方向に移動すると共に角度γが大きくなるＹ方向に回転して、仕切板４４がＺ方向に移動する。【選択図】　図４
2004059051.tif 000002
【特許請求の範囲】
【請求項１】
被包装物を出し入れ可能な開口部を有する箱本体と、
板状に形成され、前記箱本体に囲まれた内側を複数の部屋に仕切ると共に、板面に沿った前記開口部外側方向へ移動可能とされた仕切板と、
前記箱本体と一体的に連接された第１接続部及び前記仕切板と一体的に連接された第２接続部を有し、前記第１接続部と前記第２接続部との距離が伸縮可能とされた接続板と、
を備えた包装箱。
【請求項２】
前記仕切板及び前記接続板の少なくとも一方に一体的に連接され、前記複数の部屋の少なくとも一つに収納された被包装物を前記仕切板の移動に伴って移動させる被包装物移動部材、を更に備えたことを特徴とする請求項１に記載の包装箱。
【請求項３】
前記箱本体と一体的に連接され、前記開口部をカバーする蓋、を更に備えたことを特徴とする請求項１または請求項２に記載の包装箱。
【発明の詳細な説明】
【０００１】
【発明の属する技術分野】
本発明は包装箱に係り、特に、デジタルカメラ等の精密機器の包装に適用される包装箱に関する。
【０００２】
【従来の技術】
従来より、デジタルカメラ等の精密機器を包装する包装箱の内部を複数の空間に仕切るために、箱本体と一体的に形成された仕切板が用いられている。例えば、特開平６−２６３１８１号公報に記載された包装箱としての紙箱は、その内部が、箱本体と連接された中仕切り壁によって、電子機器類の収納空間と説明冊子の収納空間とに仕切られている。また、実開平６−６９１１９号公報に記載された紙箱は、その内部が、箱本体と連接された中底壁、第１縦仕切板、及び第２縦仕切板によって、被包装物本体用収納空間、取扱い説明書用収納空間、の各々に仕切られている。これらの紙箱は、いずれも箱本体を仕切板（中仕切り壁、中底壁、第１縦仕切板、第２縦仕切板）とが一体的に形成されており、製造が容易で、部品点数を減少させることができるという利点を有する。
【０００３】
しかしながら、上記公報に記載された紙箱の仕切板は、いずれも所定の位置に固定されており、仕切板を紙箱から出し入れすることはできなかった。箱本体と一体的に形成された仕切板を、仕切板の板面に沿った方向に出し入れすることができれば、被包装物を仕切板の上に載置して包装することにより、被包装物を仕切板と共に紙箱から出し入れすることができて利便性が向上する。
【０００４】
【発明が解決しようとする課題】
本発明は、上記事実を考慮して成されたものであり、製造が容易で、かつ、より利便性の高い包装箱を提供することを目的とする。
【０００５】
【課題を解決するための手段】
上記目的を達成するために、本発明の包装箱は、開口部を有する箱本体と、前記箱本体に囲まれた内側を複数の部屋に仕切ると共に、板面に沿った前記開口部外側方向へ移動可能とされた仕切板と、前記箱本体と一体的に連接された第１接続部及び前記仕切板と一体的に連接された第２接続部を備え、前記第１接続部と前記第２接続部との距離が伸縮可能とされた接続板と、を含んで構成されている。
【０００６】
本発明の包装箱は、仕切板によって、箱本体に囲まれた内側が複数の部屋に仕切られる。仕切板に対し、この仕切板の板面に沿った前記開口部外側方向へ力が加えられると、仕切板と連接された第２接続部にも同方向へ力が伝わる。ここで、板面に沿った方向とは、板面とほぼ平行な方向をいい、板面と平行な方向及びこの方向から少しずれた方向を含む。接続板は、箱本体と連接された第１接続部と第２接続部との距離が伸縮可能とされているので、仕切板は仕切板の板面に沿った開口部外側方向へ移動される。
【０００７】
そして、例えば、上記仕切板の上に被包装物を載置して包装し、被包装物を仕切板と共に開口部外側方向へ移動させれば、被包装物が仕切板と共に開口部外側方向へ移動され、被包装物を容易に取り出すことができるので、利便性が向上する。
【０００８】
しかも、本発明の包装箱によれば、仕切板がこの仕切板の板面に沿った開口部外側方向へ移動するので、例えば、仕切板が板面と直交する方向に移動する場合のように、仕切られた部屋へ仕切板が進入することはない。したがって、仕切られた複数の部屋に被包装物が包装されている場合でも、この被包装物を取り去ったり、各々の部屋に仕切板を進入させるためのスペースを設けたりすることなく、容易に仕切板を上記方向に移動させることができる。
【０００９】
また、接続板は、第１接続部が箱本体と一体的に連接され、第２接続部が仕切板と連接されているので、仕切板、接続板、及び箱本体を一体的に形成することができる。その結果、上記効果を有する包装箱を、容易に製造することができると共に、これら各部材を別体で形成した物と比較して、部品点数を減少させることができ、さらには、組立性にも優れる。
【００１０】
本発明の包装箱は、請求項２に記載のように、前記仕切板及び前記接続板の少なくとも一方に一体的に連接され、前記複数の部屋の少なくとも１つに収納された被包装物を前記仕切板の移動に伴って移動させる被包装物移動部材、を更に備えたことを特徴とすることもできる。
【００１１】
前記構成の包装箱によれば、被包装物移動部材によって、前記複数の部屋の少なくとも１つに収納された被包装物が仕切板の移動に伴って移動されるので、被包装物を容易に取り出すことができ、利便性が向上する。また、被包装物移動部材は、仕切板及び接続板の少なくとも一方に一体的に連接されているので、別体とされている場合と比較して、容易に製造することができると共に、部品点数を減少させることができる。
【００１２】
なお、被包装物移動部材による被包装物の移動の方法としては、被包装物を仕切板及び接続板の少なくとも一方に固定する方法がある。また、固定によらず単に被包装物を移動方向に押すことによって、被包装物を移動させることもできる。なお、接続板が被包装物移動部材を兼ねる場合も含まれる。
【００１３】
本発明の包装箱は、請求項３に記載のように、前記箱本体と一体的に連接され、前記開口部をカバーする蓋を、更に備えたことを特徴とすることもできる。
【００１４】
前記構成の包装箱によれば、包装箱で被包装物を包装すると、開口部から各部屋に被包装物が収納され、蓋により開口部がカバーされるので、包装された被包装物が外側に露出されず保護される。
【００１５】
【発明の実施の形態】
以下、本発明に係る包装箱の実施の形態について、図面を参照して説明する。
【００１６】
図１は、本実施の形態の包装箱１０の斜視図であり、図２は、本実施の形態の包装箱１０の印刷面側の展開図である。なお、図２に示される実線は所謂切取線を意味し、実線をはさんで隣接する構成要素同士は連接されておらず切り離されている。また、図２に示される二点鎖線は所謂折目線を意味し、二点鎖線をはさんで隣接する構成要素同士は連接されている。また、印刷面とは、包装箱１０が組み立てられた状態で外側になる面をいい、この面にディスプレイ効果を持たせるための印刷が施される。
【００１７】
図２に示すように、包装箱１０は、蓋板２０と、箱本体としての、底面板１２、側面板１４Ａ、１４Ｂ、上面板１６、及び蓋板２２Ａ、２２Ｂと、を備える。
これらの構成要素、及び、後述する各構成要素のすべては、一枚の板から型取りされ、一体的に形成される。
【００１８】
図２に示すように、底面板１２、側面板１４Ａ、上面板１６、及び側面板１４Ｂは、この順で一方向のＨ方向に連接されている。側面板１４Ａと底面板１２とは、折目ｂ１を介して連接され、上面板１６と側面板１４Ａとは、折目ｂ２を介して連接され、側面板１４Ｂと上面板１６とは、折目ｂ３を介して連接されている。図１に示すように、折目ｂ１〜ｂ３は、裏面を内側に、かつ、隣接する板が互いに直交するように折り曲げられる。底面板１２の折目ｂ１と反対側には、接着部２６が折目ｂ４を介して連接されており、折目ｂ４は、裏面を内側に、かつ、接着部２６が底面板１２と直交するように折り曲げられる。折目ｂ４は、側面板１４Ｂの折目ｂ３と反対側の端辺とほぼ一致され、接着部２６の印刷面側と側面板１４Ｂの裏面とは、接着剤によって接着されている。
【００１９】
蓋板２２Ａ、蓋板２２Ｂ、底面板１２、及び蓋板２０は、この順でＨ方向と直交する方向に連接されている。蓋板２２Ａと蓋板２２Ｂとは、折目ａ１を介して連接され、蓋板２２Ｂと底面板１２とは、折目ａ２を介して連接され、底面板１２と蓋板２０とは、折目ａ３を介して連接されている。蓋板２２Ａの折目ａ１と反対側の端辺中央部には、折目ａ４を介して止め板２４が連接されており、折目ａ４の中央部には、後述する止め板２７を差し込み可能な止め孔兼指入れ孔２５が穿孔されている。蓋板２０の折目ａ３の反対側端辺には、折目ａ５を介して止め板２８が連接され、折目ａ５の中央部には、止め板２４を差し込み可能な止め孔３０が穿孔されている。蓋板２０の止め板２８側中央部には、折目ａ６を介して止め板２７が連接され、止め板２７の中央部の折目ａ６に沿った方向には、折目ａ７が形成されている。折目ａ１〜ａ５、及びａ７は、印刷面と反対側の裏面を内側にして折り曲げ可能とされており、蓋板２２Ａ、２２Ｂ、及び蓋板２０が閉じられる際には、図３に示すように、隣接する板が互いに直交するように折り曲げられる。折目ａ６は、印刷面を内側にして折り曲げ可能とされており、蓋板２０が閉じられる際に、一旦止め板２７が蓋板２０の外側に折り曲げられ、止め板２７の止め孔兼指入れ孔２５への差し込みが容易に行える構成とされている。
【００２０】
図２に示すように、側面板１４Ａの２つの端辺には、フラップ３２、３４が各々折目ａ８、ａ９を介して連接されており、側面板１４Ｂの折目ｂ３と直交する２つの端辺には、フラップ３６、３８が各々折目ａ１０、ａ１１を介して連接されている。折目ａ８〜ａ１１は、裏面を内側にして折り曲げ可能とされている。
フラップ３２、３４、３６、３８は、蓋板２２Ａ、２２Ｂ、及び蓋板２０を閉じる際には、連接された側面板１４Ａまたは１４Ｂと直交するように折り曲げられて包装箱１０の内部に格納される。
【００２１】
図２に示すように、上面板１６の蓋板２０側の端辺中央部には、切欠部４８が形成されている。また、図１に示すように、上面板１６の中央部から蓋板２２Ｂ側には、窓部５０が構成されている。
【００２２】
図２に示すように、仕切板４４と、接続板としての第２接続板４２及び第１接続板４０とは、この順でＨ方向と直交する方向に連接されている。第１接続板４０は、上面板１６と、折目ａ１２を介して連接されている。第２接続板４２は、第１接続板４０と、折目ａ１３を介して連接されると共に、折目ａ１４を介して仕切板４４と連接されている。第２接続板４２の折目ａ１３側中央部には、孔４７が穿孔されている。
【００２３】
仕切板４４のＨ方向と直交する一端辺には、折目ｂ５を介して支持板４６Ａが連接され、他端辺には、折目ｂ６を介して支持板４６Ｂが連接されている。図１に示すように、折目ｂ５及びｂ６は、裏面を内側にして、支持板４６Ａ、４６Ｂの各々が仕切板４４と直交するように折り曲げられる。支持板４６Ａの折目ｂ５に沿った端辺、及び、支持板４６Ｂの折目ｂ６に沿った端辺は、底面板１２の内側面に当接される。
【００２４】
図３、図４、及び図６に示すように、折目ａ１２は、第１接続板４０と上面板１６とが角度αを成すように、裏面を内側にして折り曲げられる。第１接続板４０は、折目ａ１２を中心として回転し、これにより角度αは、０°＜α≦１８０°の範囲で変化する。折目ａ１３は、第２接続板４２と第１接続板４０とが角度βを成すように、印刷面を内側にして折り曲げられる。第１接続板４０の回転や第２接続板４２の移動、回転により角度βは、０°≦β≦１８０°の範囲で変化する。折目ａ１４は、仕切板４４と第２接続板４２とが角度γを成すように、印刷面を内側にして折り曲げられる。第２接続板４２の移動、回転や仕切板４４の移動により角度γは、０°≦γ≦１８０°の範囲で変化する。
【００２５】
折目ａ１２と折目ａ１４との距離Ｌは、仕切板４４が格納された状態で、Ｌ＝Ｌ１（図３参照）となり、仕切板４４が少し引き出された状態で、Ｌ＝Ｌ２（図４参照）となり、仕切板４４がほぼ完全に引き出された状態で、Ｌ＝Ｌ３（図６参照）となる。
【００２６】
第２接続板４２の折目ａ１４側中央部には、被包装物移動板５２が連接されている。被包装物移動板５２の板面と第２接続板４２の板面とは、角度α、β、及びγの変化によらず、常に同一面上に位置し、被包装物移動板５２と仕切板４４とは角度δを成している。仕切板４４が収納されている状態では、被包装物移動板５２のＨ方向（図２参照）に沿った端辺は、底面板１２の裏面に当接される。
【００２７】
上記のように包装箱１０が構成されることにより、仕切板４４が包装箱１０の内部に収納され、蓋板２０、及び蓋板２２Ａ、２２Ｂが閉じられた状態では、底面板１２、上面板１６、側面板１４Ａ、１４Ｂ、蓋板２０、及び蓋板２２Ａ、２２Ｂに囲まれた内側の空間は、仕切板４４によって、図３に示すように、第１収納部屋Ｒ１と第２収納部屋Ｒ２とに仕切られる。
【００２８】
また、第１収納部屋Ｒ１の蓋板２２Ｂ側には、トレイに入れられたデジタルカメラ等の被包装物（以下トレイも含めて「被包装物Ｄ１」という）を出し入れ可能な開口部Ｋ１が各々構成されている。第２収納部屋Ｒ２の蓋板２２Ｂ側には、取扱説明書等の被包装物Ｄ２を出し入れ可能な開口部Ｋ２が構成されている。
【００２９】
次に、本実施の形態の作用について説明する。
【００３０】
図３に示すように、角度αがα＝１８０°とされ、角度βがβ＝９０°とされ、角度γがγ＝９０°とされて仕切板４４が収納される。このとき折目ａ１２と折目ａ１４との距離Ｌは、Ｌ＝Ｌ１となっている。この状態で構成された収納部屋Ｒ１に、開口部Ｋ１から被包装物Ｄ１が収納され、仕切板４４に載置される。
また、収納部屋Ｒ２に、開口部Ｋ２から被包装物Ｄ２が収納される。折目ａ３が、裏面を内側にし、かつ、蓋板２０と底面板１２とが直交するように折り曲げられ、止め板２８が上面板１６の内側に差し込まれて、蓋板２０が閉じられる。折目ａ１及びａ２が、裏面を内側にし、かつ、蓋板２２Ａ、２２Ｂと隣接する板とが互いに直交するように折り曲げられ、止め板２４が止め孔３０に差し込まれて、蓋板２２Ａ、２２Ｂが閉じられる。止め板２７が、裏面が内側になるように折目ａ７で９０°折り曲げられ、止め板２７の先端部から折目ａ７までが止め孔兼指入れ孔２５に差し込まれて、蓋板２２Ａ、２２Ｂが固定されて、被包装物Ｄ１、及びＤ２の包装が完了する。
【００３１】
被包装物Ｄ１、Ｄ２を取り出す際には、止め板２７を止め孔兼指入れ孔２５から抜き出した後、止め板２４を止め孔３０から抜き出し、蓋板２２Ａ、２２Ｂを開く。このとき、表出される部分のほとんどが印刷面なので、蓋板を開けたときのディスプレイ効果を得ることができる。
【００３２】
仕切板４４が、この板面に沿った開口部Ｋ１、Ｋ２の外側のＺ方向へ引っ張られると、図４に示すように、第１接続板４０は、折目ａ１２を支点にして角度αが小さくなるＸ方向へ回転する。また、第２接続部４２は、折目ａ１４に沿った部分が仕切板４４と同方向に移動すると共に、角度γが大きくなるＹ方向へ回転する。被包装物移動板５２は、折目ａ１４に沿った部分が仕切板４４と同じくＺ方向に移動すると共に、角度δが小さくなるＹ方向へ回転する。これにより、図５にも示すように、仕切板４４はＺ方向へ引き出され、仕切板４４に載置された被包装物Ｄ１も、仕切板４４と共に引き出される。また、被包装物移動板５２のＺ方向への移動により、被包装物Ｄ２は、被包装物移動板５２に押されて、Ｚ方向へ移動する。このとき、折目ａ１２と折目ａ１４との距離Ｌは、図４に示すようにＬ＝Ｌ２（Ｌ２＜Ｌ１）となり、前述の仕切板４４が収納された状態と比較して、短くなる。
【００３３】
仕切板４４が、さらにＺ方向へ引っ張られると、図６に示すように、第１接続板４０は、折目ａ１２を支点にして角度αがさらに小さくなるＸ方向へ回転する。また、第２接続部４２は、折目ａ１４に沿った部分が、さらに仕切板４４と同方向に移動すると共に、角度γがさらに大きくなるＹ方向へ回転する。これに伴い、第１接続板４０と第２接続部４２との成す角βは大きくなる。被包装物移動板５２は、折目ａ１４に沿った部分が、さらにＺ方向に移動すると共に、角度δがさらに小さくなるＹ方向へ回転する。これにより、図７にも示すように、仕切板４４はＺ方向へ引き出され、仕切板４４に載置された被包装物Ｄ１も、仕切板４４と共に引き出される。また、被包装物移動板５２のＺ方向への移動により、被包装物Ｄ２は、被包装物移動板５２に押されて、Ｚ方向へ移動する。このとき、折目ａ１２と折目ａ１４との距離Ｌは、図６に示すように、Ｌ＝Ｌ３（Ｌ２＜Ｌ１＜Ｌ３）となり、仕切板４４が収納された状態、及び、仕切板４４が少し引き出された状態のいずれと比較しても、長くなる。
【００３４】
本実施の形態の包装箱１０によれば、一端が上面板１６に連接された第１接続板４０と、他端が仕切板４４に連接された第２接続板４２とが連接され、角度α、β、及びγが変化されることにより、折目ａ１２と折目ａ１４との距離が伸縮するので、仕切板４４がその板面に沿ったＺ方向へ移動可能となる。したがって、仕切板４４に被包装物Ｄ１を載置して包装した場合には、被包装物Ｄ１を仕切板４４と共に開口部外側Ｚ方向へ移動させることにより容易に取り出すことができ、利便性が向上する。また、仕切板４４、第１接続板４０、第２接続板４２、底面板１２、側面板１４Ａ、１４Ｂ、及び上面板１６が一体的に形成されているので、容易に製造することができると共に、これら各部材を別体で形成した物と比較して、部品点数を減少させることができ、コストダウンを図ることができる。
【００３５】
なお、上記では、被包装物Ｄ１が、水平状態の仕切板４４に載置されて、仕切板４４と共に引き出される例について説明したが、例えば、図８に示すように、包装箱１０が水平方向Ｅから傾斜して、仕切板４４の板面の開口部Ｋ１側が蓋板２０側よりも高い位置にある場合には、被包装物Ｄ１は、第２接続板４２に押されて（折目ａ１４部分参照）、Ｚ’方向に移動する。この場合には、第２接続板４２が被包装物移動部材を兼ねる。
【００３６】
なお、本実施の形態では、角度α、β、及びγを可変とすることにより折目ａ１２と折目ａ１４との距離Ｌを伸縮可能としたが、他の方法により距離Ｌを伸縮可能とすることもできる。例えば、図９に示すように、第１接続板４０を折目ａ１２と直交する方向に延長し、同方向の中央部に折目ａ１２に沿った折目ａ２０を形成する。また、第２接続板４２を折目ａ１４と直交する方向に延長し、同方向の中央部に折目ａ１４に沿った折目ａ２２を形成する。折目ａ２０を印刷面を内側にして折り曲げて形成される角度εと、折目ａ２２を裏面を内側にして折り曲げて形成される角度ζとを可変として折目ａ１２と折目ａ１４との距離を伸縮可能とすることができる。
【００３７】
なお、本実施の形態では、図２に示すような展開図で型取りしたが、必ずしもこの展開図のように型取りされる必要はない。例えば、側面板１４Ｂ及び上面板１６が、折目ｂ４を介して底面板１２と連接されるようにし、接着部２６が、折目ｂ２を介して側面板１４Ａと連接されるようにしてもよい。特に、図２に示す展開図で型取りすることにより、効率的に型取りすることができ、コスト低減を図ることができる。
【００３８】
また、蓋板２２Ａ、２２Ｂは、必ずしも必要ではなく、開口部Ｋ１、Ｋ２が開放された状態で包装されるものであってもよい。本実施の形態のように、蓋板２２Ａ、２２Ｂを備え、開口部Ｋ１、Ｋ２がカバーされることにより、被包装物が外側に露出されないので、被包装物を保護することができる。また、蓋板２０も、開閉可能な蓋である必要はなく、底面板１２と直交する位置に固定され、箱本体として機能するものであってもよい。
【００３９】
また、窓部５０も、必ずしも必要ではなく、窓部５０部分が上面板１６で占められているものであってもよい。本実施の形態のように、窓部５０を構成することにより、蓋板２２Ａ、２２Ｂを開けた時に、外部から被包装物が見えやすくなり、ディスプレイ効果を得ることができる。
【００４０】
また、被包装物移動板５２も、必ずしも必要ではないが、被包装物移動板５２を備えることにより、収納部屋Ｒ２に収納された被包装物を、仕切板４４と共に引き出すことができ、利便性が向上する。また、被包装物移動板５２は、第２接続板４２と一体的に連接されているので、他の構成要素と一体的に形成することができ、上記効果を有する包装箱１０を、容易に製造することができると共に、部品点数を減少させることができる。
【００４１】
さらに、被包装物移動板５２は、仕切板４４が収納された状態で、仕切板４４を一定の高さに保持することに大きく寄与している。
【００４２】
なお、被包装物移動板５２は、本実施の形態のように被包装物を押し出すのではなく、仕切板４４の開口部Ｋ２側に配置され、被包装物に係合されて、被包装物を仕切板４４に固定するものであってもよい。さらには、被包装物と部分的に係合する等により、被包装物を引き出すものであってもよい。
【００４３】
【発明の効果】
上記説明したように、本発明によれば、仕切板がこの仕切板の板面に沿った開口部外側方向へ移動するので、容易に仕切板を移動させることができると共に、仕切板の上に被包装物を載置して包装した場合には、被包装物が仕切板と共に開口部外側方向へ移動され、被包装物を容易に取り出すことができて、利便性が向上する。また、接続板は、一端が箱本体と一体的に連接され、他端が仕切板と連接されているので、仕切板、接続板、及び箱本体を一体的に形成することができる。その結果、上記効果を有する包装箱を、容易に製造することができると共に、別体で形成された物と比較して部品点数を減少させることができる。
【図面の簡単な説明】
【図１】仕切板が収納された状態の本実施の形態の包装箱の斜視図である。
【図２】本実施の形態の包装箱の展開図である。
【図３】被包装物が包装された図１の包装箱のＡ−Ａの断面図である。
【図４】被包装物が包装された図５の包装箱のＢ−Ｂの断面図である。
【図５】仕切板が少し引き出された状態の本実施の形態の包装箱の斜視図である。
【図６】被包装物が包装された図７の包装箱のＣ−Ｃの断面図である。
【図７】仕切板が完全に引き出された状態の本実施の形態の包装箱の斜視図である。
【図８】本実施の形態の包装箱が傾いた状態の断面図である。
【図９】本実施の形態の包装箱の変形例の断面図である。
【符号の説明】
１０　　包装箱
１２　　底面板（箱本体）
１４Ａ、１４Ｂ　側面板（箱本体）
１６　　上面板（箱本体）
２０　　蓋板
２２Ａ、２２Ｂ　蓋板（蓋）
４０　　第１接続板（接続板）
４２　　第２接続板（接続板）
４４　　仕切板
５２　　被包装物移動板（被包装物移動部材）
ａ１２　折目（第１接続部）
ａ１４　折目（第２接続部）
Ｄ１、Ｄ２　被包装物
Ｋ１、Ｋ２　開口部
Ｌ１、Ｌ２、Ｌ３　距離
Ｒ１、Ｒ２　収納部屋
【図１】
2004059051.tif 000003
【図２】
2004059051.tif 000004
【図３】
2004059051.tif 000005
【図４】
2004059051.tif 000006
【図５】
2004059051.tif 000007
【図６】
2004059051.tif 000008
【図７】
2004059051.tif 000009
【図８】
2004059051.tif 000010
【図９】
2004059051.tif 000011